(57)【要約】  【課題】  回動操作部材が非操作位置へ勢いよく復帰しても、発射停止装置の衝撃力による故障や誤動作を確実に防止することが可能なパチンコ機を提供する。  【解決手段】  回動操作部材３５の外周部で引掛部５１Ａの近傍に取り付けられる操作部６２は、駆動ワイヤ部材６５を介して検出装置４３に接続される。また、この操作部６２の押下によって駆動回路部３０にＯＮ・ＯＦＦ信号を送出する検出装置４３は、前枠３の前面部に固設されるハンドル本体部３３に取り付けられている。更に、駆動ワイヤ部材６５は、管状のアウターケーブル６５と、このアウターケーブル６５Ａ内に挿通されて該アウターケーブル６５Ａに対して長手方向に相対変位可能なインナーケーブル６５Ｂとから構成されて、インナーケーブル６５Ｂの他端側が、アウターケーブル６５Ａの長手方向外側に変位した時に、検出装置４３から駆動回路部３０にＯＮ信号が送出される。  【選択図】  図６
2006122061.tif 000002
【特許請求の範囲】
【請求項１】
パチンコ球を発射する発射装置と、回動操作部材を回動させてパチンコ球の発射勢を調整する操作ハンドルと、前記操作ハンドルの調整に応じて前記発射装置を駆動制御する発射制御装置と、前記操作ハンドルに設けられてパチンコ球の発射を一時中断する場合に操作されることにより前記発射装置の駆動停止を指示する停止信号を前記発射制御装置に送出する発射停止装置と、を備えたパチンコ機において、
前記操作ハンドルは、パチンコ機の前面部に固設されるハンドル本体部と、
前記回動操作部材の前面側を覆うと共に前記ハンドル本体部に固設される把持部と、
を有し、
前記発射停止装置は、前記回動操作部材に取り付けられて該回動操作部材の外周部から外側方向に突出すると共に出入り可能に設けられてパチンコ球の発射を一時中断する場合に操作される操作部と、
前記ハンドル本体部に固設されて前記操作部が操作されたことを検出した場合に、前記停止信号を送出する検出装置と、
前記操作部が操作されたことを前記検出装置に伝達する駆動ワイヤ部材と、
を有し、
前記駆動ワイヤ部材は、管状のアウターケーブルと、
前記アウターケーブル内に挿通されて該アウターケーブルに対して長手方向に相対変位可能に設けられると共に、一端側が前記操作部の内方側端縁部に連結されて、他端側が前記検出装置に接続されるインナーケーブルと、
を有し、
前記検出装置は、前記インナーケーブルの他端側の変位を検出した場合に、前記停止信号を送出することを特徴とするパチンコ機。
【請求項２】
前記回動操作部材は、回動軸心に沿って裏側方向に立設される円筒状の回転軸部を有し、
前記駆動ワイヤ部材は、前記回転軸部内に挿通されて前記検出装置に接続されていることを特徴とする請求項１に記載のパチンコ機。
【請求項３】
前記ハンドル本体部は、前記回転軸部の外側端縁部を回転可能に支持する回転支持部と、
前記回転支持部の底面部に穿設されて前記駆動ワイヤ部材が挿通される貫通孔と、
を有し、
前記検出装置は、前記貫通孔の裏側に配設されていることを特徴とする請求項２に記載のパチンコ機。
【請求項４】
前記アウターケーブルは、一端側が前記回動操作部材に固着され、他端側が前記検出装置に回転可能に連結されていることを特徴とする請求項１乃至請求項３のいずれかに記載のパチンコ機。
【発明の詳細な説明】
【技術分野】
【０００１】
本発明は、回動操作部材を回動させてパチンコ球の発射勢を調整する操作ハンドルと、この操作ハンドルに設けられてパチンコ球の発射を一時中断する発射停止装置とが設けられたパチンコ機に関するものである。
【背景技術】
【０００２】
従来より、回動操作部材を回動させてパチンコ球の発射勢を調整する操作ハンドルと、この操作ハンドルに設けられてパチンコ球の発射を一時中断する発射停止装置とが設けられたパチンコ機に関し種々提案されている。
例えば、 パチンコ機に固定されるハンドルベースと、該ハンドルベースに対して回転可能に取付けられ、遊技者が回転角度を変化して遊技球の発射強度を調整する発射ハンドルとを備えるパチンコ機において、前記遊技球の発射を一時中断する発射停止装置を、前記発射ハンドル側に設け、該発射ハンドルと一体的に回転するように構成されたパチンコ機が提案されている（例えば、特許文献１参照。）。
【特許文献１】特開２００２−２６３２７１号公報（段落（００１４）〜（００２１）、図１〜図２）
【発明の開示】
【発明が解決しようとする課題】
【０００３】
しかしながら、上述したパチンコ機では、発射停止スイッチとパチンコ機本体間の電気的接続は、フレキシブル接続ケーブル等を使用することにより、発射ハンドルの操作性への悪影響を排除可能となるが、発射ハンドル内にはハンドルカバーを取り付けるための取付ボスがハンドルベースの複数箇所に立設されており、該取付ボスにフレキシブル接続ケーブルが引っ掛かる虞があるという問題がある。また、発射停止スイッチは発射ハンドルに取り付けられているため、フレキシブル接続ケーブルの発射停止スイッチへの半田付け部分が疲労によって断線する虞があるという問題がある。更に、発射ハンドルには、非操作位置（回転操作されていない位置）に向かって常時付勢する復帰バネが設けられており、この発射ハンドルを回転した後に指を離すと、その捻り弾性力によって発射ハンドルは勢いよく非操作位置まで復帰されるが、その時に、発射ハンドル側に設けられた発射停止スイッチは衝撃力を受けることとなり、該発射停止スイッチの故障や誤動作の発生する虞があるという問題がある。
【０００４】
そこで、本発明は、上述した問題点を解決するためになされたものであり、発射停止装置の半田付け部分の疲労による断線を確実に防止することが可能となると共に、発射停止装置によって操作ハンドルの回動操作部材の操作性を損なうことがないパチンコ機を提供することを目的とする。また、回動操作部材が勢いよく非操作位置に復帰しても、発射停止装置の誤動作を防止することができ、長寿命化及び高信頼性化を図ることができるパチンコ機を提供することを目的とする。
【課題を解決するための手段】
【０００５】
前記目的を達成するため請求項１に係るパチンコ機は、パチンコ球を発射する発射装置と、回動操作部材を回動させてパチンコ球の発射勢を調整する操作ハンドルと、前記操作ハンドルの調整に応じて前記発射装置を駆動制御する発射制御装置と、前記操作ハンドルに設けられてパチンコ球の発射を一時中断する場合に操作されることにより前記発射装置の駆動停止を指示する停止信号を前記発射制御装置に送出する発射停止装置と、を備えたパチンコ機において、前記操作ハンドルは、パチンコ機の前面部に固設されるハンドル本体部と、前記回動操作部材の前面側を覆うと共に前記ハンドル本体部に固設される把持部と、を有し、前記発射停止装置は、前記回動操作部材に取り付けられて該回動操作部材の外周部から外側方向に突出すると共に出入り可能に設けられてパチンコ球の発射を一時中断する場合に操作される操作部と、前記ハンドル本体部に固設されて前記操作部が操作されたことを検出した場合に、前記停止信号を送出する検出装置と、前記操作部が操作されたことを前記検出装置に伝達する駆動ワイヤ部材と、を有し、前記駆動ワイヤ部材は、管状のアウターケーブルと、前記アウターケーブル内に挿通されて該アウターケーブルに対して長手方向に相対変位可能に設けられると共に、一端側が前記操作部の内方側端縁部に連結されて、他端側が前記検出装置に接続されるインナーケーブルと、を有し、前記検出装置は、前記インナーケーブルの他端側の変位を検出した場合に、前記停止信号を送出することを特徴とする。
【０００６】
また、請求項２に係るパチンコ機は、請求項１に記載のパチンコ機において、前記回動操作部材は、回動軸心に沿って裏側方向に立設される円筒状の回転軸部を有し、前記駆動ワイヤ部材は、前記回転軸部内に挿通されて前記検出装置に接続されていることを特徴とする。
【０００７】
また、請求項３に係るパチンコ機は、請求項２に記載のパチンコ機において、前記ハンドル本体部は、前記回転軸部の外側端縁部を回転可能に支持する回転支持部と、前記回転支持部の底面部に穿設されて前記駆動ワイヤ部材が挿通される貫通孔と、を有し、前記検出装置は、前記貫通孔の裏側に配設されていることを特徴とする。
【０００８】
更に、請求項４に係るパチンコ機は、請求項１乃至請求項３のいずれかに記載のパチンコ機において、前記アウターケーブルは、一端側が前記回動操作部材に固着され、他端側が前記検出装置に回転可能に連結されていることを特徴とする。
【発明の効果】
【０００９】
請求項１に係るパチンコ機では、回動操作部材を回動させてパチンコ球の発射勢を調整する操作ハンドルは、パチンコ機の前面部に固設されるハンドル本体部と、該回動操作部材の前面側を覆うと共にハンドル本体部に固設される把持部とから構成されている。また、パチンコ球の発射を一時中断する場合に操作されることにより発射装置の駆動停止を指示する停止信号を発射制御装置に送出する発射停止装置は、この回動操作部材に取り付けられて該回動操作部材の外周部から外側方向に突出すると共に出入り可能に設けられてパチンコ球の発射を一時中断する場合に操作される操作部と、ハンドル本体部に固設されて操作部が操作されたことを検出した場合に、停止信号を送出する検出装置と、操作部が操作されたことを検出装置に伝達する駆動ワイヤ部材とから構成されている。また、この駆動ワイヤ部材は、管状のアウターケーブルと、このアウターケーブル内に挿通されて該アウターケーブルに対して長手方向に相対変位可能に設けられると共に、一端側が操作部の内方側端縁部に連結されて、他端側が検出装置に接続されるインナーケーブルとから構成されている。そして、検出装置はインナーケーブルの他端側の変位を検出した場合に、停止信号を発射制御装置に送出する。
これにより、停止信号を送出する検出装置は、パチンコ機の前面部に固設されるハンドル本体部に取り付けられているため、回動操作部材の回動に伴って動くことがなく、検出装置の半田付け部分の疲労による断線を確実に防止することが可能となる。また、回動操作部材を回転した後に指を離すことにより該回動操作部材が非操作位置に勢いよく復帰しても、検出装置はその衝撃力を受けることがなく、該検出装置の故障や誤動作の発生を確実に防止でき、長寿命化及び高信頼性化を図ることができる。また、回動操作部材の外周部に取り付けられる操作部は、駆動ワイヤ部材を介して検出装置に接続されるため、該回動操作部材の操作性を損なうことを防止することができる。更に、駆動ワイヤ部材は、管状のアウターケーブルと、このアウターケーブル内に挿通されて該アウターケーブルに対して長手方向に相対変位可能なインナーケーブルとから構成され、このインナーケーブルは、一端側が操作部の内方側端縁部に連結されて、他端側の変位が検出装置を介して検出された場合に、停止信号が送出されるため、簡易な構成とすることができると共に、回動操作部材の回動による電気配線の疲労断線を確実に防止することが可能となる。
【００１０】
また、請求項２に係るパチンコ機では、駆動ワイヤ部材は、回動操作部材の回動軸心に沿って裏側方向に立設される円筒状の回転軸部内に挿通されて検出装置に接続されているため、操作ハンドルの組み立て時において、駆動ワイヤ部材の挟み込みやハンドル本体部内に立設される取付ボス等への引っ掛かりを確実に防止することが可能となる。
【００１１】
また、請求項３に係るパチンコ機では、駆動ワイヤ部材は、回動操作部材の回転軸部の外側端縁部を回転可能に支持する回転支持部の底面部に穿設される貫通孔に挿通されて、該貫通孔の裏側に配設される検出装置に接続されているため、駆動ワイヤ部材を回動操作部材の回動軸心上に配置することが可能となり、インナーケーブルを長手方向にスムーズに変位させることができ、操作部の変位を確実に検出装置に伝達することが可能となる。また、駆動ワイヤ部材は、回動操作部材の回転軸部内、及びハンドル本体部の回転支持部の底面部に穿設される貫通孔を介して検出装置に接続されるため、該駆動ワイヤ部材のハンドル本体部内に立設される取付ボス等への引っ掛かりを確実に避けることができ、回動操作部材の操作性を損なうことを防止できる。
【００１２】
更に、請求項４に係るパチンコ機では、アウターケーブルは、一端側が回動操作部材に固着され、他端側が検出装置に回転可能に連結されているため、回動操作部材の回動による駆動ワイヤ部材の捩れを防止でき、この回動操作部材の操作性の更なる向上を図ることができる。また、アウターケーブルの硬度を大きくすることが可能となり、駆動ワイヤ部材の耐久性の向上を図ることができる。
【発明を実施するための最良の形態】
【００１３】
以下、本発明に係るパチンコ機を具体化した一実施例を図面を参照して詳細に説明する。
【実施例１】
【００１４】
先ず、本実施例に係るパチンコ機の概略構成について図１及び図２に基づき説明する。
図１に示すように、本実施例に係るパチンコ機１は、所定量のパチンコ球を賞球として払い出す、いわゆる第１種パチンコ機で、一般にＣＲ機（カードリーディング機）と称され、カード式球貸機とパチンコ機１とによって構成され、これらは対をなして設置されるが、図１においては、カード式球貸機の図示を省略している。パチンコ機１は、木製の外枠１１に対して合成樹脂製の前枠３が、前枠取付用ヒンジを構成する上ヒンジ３Ａ及び下ヒンジ３Ｂを介して外枠１１に対して開閉自在に取り付けられている。そして、この前枠３のほぼ上半分の前側には、合成樹脂製の前面カバー部材４が左端縁部の上下を軸支されて開閉自在に取付けられている。また、この前面カバー部材４のほぼ中央部には略円形の窓部５が開設され、この窓部５の外周縁部に形成されるガラス保持枠に装着された２枚のガラスを通して遊技領域を見ることができるように構成されている。また、前面カバー部材４の窓部５の上端縁部には、フルカラーの発光ダイオードが内蔵され、遊技中のエラーを表示するエラー表示電飾ランプ６Ａが取付けられている。また、このエラー表示電飾ランプ６Ａの左右外側には、「当たり」等の発生を報知したり遊技中に光演出をする各電飾ランプ６Ｂが取付けられている。また、前面カバー部材４の前面部分は、不透明な合成樹脂製の前面部材４Ａで覆われており、この各電飾ランプ６Ａ、６Ｂと窓部５の上端周縁部との間に、不図示のフルカラーダイオードが左右方向に内蔵され、遊技中に光演出が行われる。
【００１５】
また、前面カバー部材４の右側中央部には、前枠３及び前面カバー部材４を施錠する施錠装置（不図示）を操作するための鍵挿入部４Ｂが設けられている。前面カバー部材４を開くためには、この鍵挿入部４Ｂに所定のキーを挿入して所定方向に回せば、施錠装置のロック状態が解除されて、前面カバー部材４のみがオープンされる。
また、この前面カバー部材４の下側には、賞球ケース１７（図２参照）を介して払い出される賞球を受ける上皿７がスピーカ７Ａを内蔵して合成樹脂製プレート８に配設されている。また、このプレート８は、左端縁部の上下を軸支されて、前面カバー部材４を開放後、内側に設けられた不図示のレバーを下げることにより開放できるように取付けられている。また、この上皿７の中央前面部には、カード式球貸機の操作ボタン７Ｂ、７Ｃ及びカード残高表示装置７Ｄが設けられている。そして、その上皿７の下には、下皿９が配設される。また、上皿７に連通する不図示の球送り機構を介して上皿７のパチンコ球が操作ハンドル１０によって駆動制御される発射装置１２へ送られるよう構成されている。
【００１６】
また、図２に示すように、パチンコ機１の裏側最上段には、上方に開口した賞球タンク１５が機構セット盤１６に固定されている。賞球タンク１５は、傾斜した底面に連通孔が形成され、その連通孔の下方にはパチンコ球を２列に整列流出し、賞球ケース１７にパチンコ球を送る通路を形成するタンクレール１８が取付けられている。
また、タンクレール１８の下側には不図示の液晶表示器（ＬＣＤ）等をカバーする樹脂製のセンターカバー１９が取付けられている。そして、このセンターカバー１９の背面部内側には、スピーカ７Ａを駆動制御する音制御基板２０、各電飾ランプ６Ａ、６Ｂ等を駆動制御するランプ制御基板２１、及びＬＣＤ等を駆動制御する表示制御基板２２が取り付けられている。また、センターカバー１９の下側には、パチンコ機１の遊技動作を制御する主基板２３が内蔵される基板ケース２５が配設されている。また、基板ケース２５の下方には、上皿７から溢れた賞球を受けて下皿９に案内する下部受皿ボックス２６がボルトにより前枠３の裏側に取り付けられている。
【００１７】
また、発射装置１２は、反復回動自在に取り付けられて供給されるパチンコ球を連続的に叩打する槌２８を不図示のカム機構等を介して駆動する発射モータ２９や駆動回路部３０等から構成され、該駆動回路部３０は、操作ハンドル１０の内部に取り付けられる可変抵抗器（不図示）を介して発射モータ２９への供給電力が調節され、槌２８のパチンコ球の発射勢を強めたり、弱めたりすることが可能なように構成されている。これにより、遊技者が操作ハンドル１０における回動操作部材３５（図３、図４参照）の回動量を調節することによって、可変抵抗器の抵抗値が増減され、槌２８によるパチンコ球の発射勢の加減を適宜行うことができるように構成されている。
【００１８】
次に、操作ハンドル１０の概略構成について図３乃至図８に基づいて説明する。
図３乃至図５に示すように、操作ハンドル１０は、前枠３の前面部にビス止め等によって固設されるハンドル本体部３３と、このハンドル本体部３３に固定的に保持される把持部３４と、このハンドル本体部３３と把持部３４との間に回動可能に設けられる回動操作部材３５とから構成されている。
ここに、ハンドル本体部３３は、前枠３の前面側に向かって突出形成された略円筒状の支持部３６、及び、支持部３６の径よりも大径を有し支持部３６に連続して形成されて把持部３４を固定的に保持する略半球状の保持部３７とから構成されている。尚、支持部３６は円筒状である必要はなく、例えば、断面四角形状等の筒状であってもよい。
また、ハンドル本体部３３の保持部３７の内部において、不図示の可変抵抗器が固定されている。かかる可変抵抗器は回動操作部材３５を回転させることによって回転可能な軸を有し、軸の回転量に基づき抵抗値が変化し、このように変化された抵抗値の信号が信号線を介して駆動回路部３０に入力されるものである。
【００１９】
また、図６に示すように、ハンドル本体部３３の支持部３６の保持部３７側端縁部は、壁部３８によって閉塞されている。また、この壁部３８の保持部３７側端面部の略中央部には、回動操作部材３５の回動軸心３９を中心軸とする円筒状の回転支持部４０が所定高さ立設されている。また、この回転支持部４０の底面部の中心部には、貫通孔４１が穿設されている。また、この貫通孔４１の裏側（図６中、下側）には、検出装置４３が配設されている。
また、保持部３７の内側面の３箇所には（図６中には、１箇所が図示されている。）、内部に貫通孔４６Ａが形成されて、回動操作部材３５に形成される正面視円弧上の溝部４５に挿通される取付ボス４６が設けられている。これにより、回動操作部材３５の回動範囲が可変抵抗器の抵抗可変範囲内に限定されるように構成されている。
【００２０】
また、把持部３４は、略半球状に形成されると共に、この内部球面の略頂部付近から回動操作部材３５の回動軸心３９を中心軸とする円筒状の回転支持部４８が所定高さ立設されている。また、把持部３４の内部球面の各取付ボス４６に対向する位置には、内部にネジ孔５０Ａが形成されて、この取付ボス４６の端面部（図６中、上端面部）に当接するように所定高さ立設される各ボス部５０（図６中には、１箇所が図示されている。）が設けられている。
【００２１】
また、回動操作部材３５は、その外周に、手の指の長さ等に合致させるとともに指を引っ掛けるための複数個（図４には３個が示されている）の引掛部５１Ａ乃至５１Ｃが一体に形成されており、また、回動操作部材３５の板状部５２における略中央位置の両側面部（図６中、上下側面部）からは、各回転支持部４０、４８に回転可能に嵌入される円筒状の各回転軸部５５、５６が回動軸心３９を軸心とするように、それぞれ所定高さ垂設されている。
また、回動操作部材３５の把持部３４側に立設される回転軸部５６の基端部外周には、復帰バネ５８が配設されている。この復帰バネ５８の一端側は、回動操作部材３５の板上部５２に固定され、他端側は、保持部３７の内側面に立設される不図示のボス部に固定されている。これにより、回動操作部材３５は、復帰バネ５８により非操作位置（回転操作されていない位置）に向かって常時付勢されており（図４中、反時計回転方向に付勢されている）、回動操作部材３５が回転された後に回動操作部材３５から指が離されると、その捻り弾性力に基づき回動操作部材３５は非操作位置まで復帰される。
また、回動操作部材３５の表面部には、導電性薄膜が形成されて、該回動操作部材３５に設けられるタッチ検出回路６０に接続されている。そして、このタッチ検出回路６０は、駆動回路部３０に接続されており、タッチ検出回路６０を介して遊技者が回動操作部材３５に触れている信号が駆動回路部３０に入力された場合にのみ発射モータ２９が駆動可能な状態になるように構成されている。
【００２２】
また、図４及び図６に示すように、回動操作部材３５の外周部には、引掛部５１Ａの近傍に出入り可能に突出する操作部６２が設けられている。この操作部６２はコイルバネ６３によって外側方向に突出するように付勢されている。また、この操作部６２の挿通される貫通孔６４の内方側端縁部の外周部には、駆動ワイヤ部材６５を構成する管状のアウターケーブル６５Ａの一端が接続されている。また、この操作部６２の内方側端縁部には、このアウターケーブル６５Ａ内に挿通されるインナーケーブル６５Ｂの一端が固着されている。
また、回動操作部材３５のハンドル本体部３３側の軸方向側面部に立設される回転軸部５５の基端部近傍位置で、操作部６２に対向する位置には、駆動ワイヤ部材６５が挿通される貫通孔６７が穿設されている。
一方、図７に示すように、ハンドル本体部３３に設けられる検出装置４３は、貫通孔４１の裏側に取り付けられる箱体状の筐体６９と、この筐体６９の貫通孔４１側の壁面部の回動軸心３９上又はその近傍位置に回転可能に突設される略円筒状の筒部材７０と、この筒部材７０に対向する壁面部に配置される検出スイッチ７１とから構成されている。また、筒部材７０の内径寸法は、駆動ワイヤ部材６５のインナーケーブル６５Ｂの外形寸法よりも大きくなるように形成されている。
尚、このスイッチ７１は、発射装置１２の駆動回路部３０に電気的に接続されている。そして、スイッチ７１のスイッチレバー７１Ａが押下されていない場合には、該駆動回路部３０にＯＦＦ信号を送出し、このスイッチレバー７１Ａが押下された場合には、該駆動回路部３０にＯＮ信号を送出するように構成されている。また、駆動回路部３０は、スイッチ７１からＯＦＦ信号が入力されている場合には、発射モータ２９を駆動可能な状態に設定し、該スイッチ７１からＯＮ信号が入力された場合には、発射モータ２９を停止するように駆動制御する。
【００２３】
そして、図６及び図７に示すように、駆動ワイヤ部材６５の他端側は、回動操作部材３５の回転軸部５５に形成される貫通孔６７に挿通される。更に、該駆動ワイヤ部材６５のインナーケーブル６５Ｂの他端側は、検出装置４３の筒部材７０に挿通されて、スイッチ７１のスイッチレバー７１Ａが上がっている状態の時に、該スイッチレバー７１Ａに当接又は近接するように設けられている。また、この駆動ワイヤ部材６５のアウターケーブル６５Ａの他端側は、検出装置４３の筒部材７０の外側端縁部に連結されている。
これにより、回動操作部材３５を回動させた場合には、それに伴って駆動ワイヤ部材６５も回動軸心３９回り（両矢印Ｂ方向）に回転すると共に、該駆動ワイヤ部材６５の他端側に接続される筒部材７０も回動軸心３９回り（両矢印Ｃ方向）に回転する。また、図８に示すように、操作部６２を内側方向（矢印Ｄ方向）に押下した場合には、図７に示すように、駆動ワイヤ部材６５のインナーケーブル６５Ｂの他端側が、アウターケーブル６５Ａの長手方向外側に変位してスイッチレバー７１Ａを押下することとなり、スイッチ７１からＯＮ信号が送出される。
【００２４】
ここで、操作部６２、駆動ワイヤ部材６５及び検出装置４３は、発射停止装置を構成する。
【００２５】
従って、本実施例に係るパチンコ機１では、回動操作部材３５に設けられた操作部６２の押下によって駆動回路部３０にＯＮ・ＯＦＦ信号を送出する検出装置４３は、前枠３の前面部に固設されるハンドル本体部３３に取り付けられているため、回動操作部材３５の回動に伴って動くことがなく、該検出装置４３のスイッチ７１の半田付け部分の疲労による断線を確実に防止することが可能となる。また、回動操作部材３５を回転した後に指を離すことにより該回動操作部材３５が復帰バネ５８の捻り弾性力によって非操作位置に勢いよく復帰しても、検出装置４３のスイッチ７１は、その衝撃力を受けることがなく、該スイッチ７１の故障や誤動作の発生を確実に防止でき、長寿命化及び高信頼性化を図ることができる。また、回動操作部材３５の外周部で引掛部５１Ａの近傍に取り付けられる操作部６２は、駆動ワイヤ部材６５を介して検出装置４３に接続されるため、該回動操作部材３５の操作性を損なうことを防止することができる。更に、駆動ワイヤ部材６５は、管状のアウターケーブル６５と、このアウターケーブル６５Ａ内に挿通されて該アウターケーブル６５Ａに対して長手方向に相対変位可能なインナーケーブル６５Ｂとから構成されている。そして、このインナーケーブル６５Ｂは、一端側が操作部６２の内方側端縁部に連結されており、他端側の変位が検出装置４３のスイッチ７１を介して検出された場合に、このスイッチ７１から駆動回路部３０にＯＮ信号が送出されるため、簡易な構成とすることができると共に、回動操作部材３５の回動によるスイッチ７１の電気配線の半田付け部分の疲労断線を確実に防止することが可能となる。
また、駆動ワイヤ部材６５は、回動操作部材３５の回動軸心３９に沿って裏側方向に立設される円筒状の回転軸部５５内に、該回転軸部５５の基端部近傍に穿設される貫通孔６７から挿通されて検出装置４３に接続されているため、操作ハンドル１０の組み立て時において、駆動ワイヤ部材６５の挟み込みやハンドル本体部３３内に立設される取付ボス４６等への引っ掛かりを確実に防止することが可能となる。
【００２６】
また、駆動ワイヤ部材６５は、回動操作部材３５の回転軸部５５の外側端縁部を回転可能に支持する回転支持部４０の底面部に穿設される貫通孔４１に挿通されて、該貫通孔４１の裏側に配設される検出装置４３に接続されているため、駆動ワイヤ部材６５を回動操作部材３５の回動軸心３９上に配置することが可能となり、インナーケーブル６５Ｂを長手方向にスムーズに変位させることができ、操作部６２の変位を確実に検出装置４３のスイッチ７１に伝達することが可能となる。また、駆動ワイヤ部材６５は、回動操作部材３５の回転軸部５５内、及びハンドル本体部３３の回転支持部４０の底面部に穿設される貫通孔４１を介して検出装置４３に接続されるため、該駆動ワイヤ部材６５のハンドル本体部３３内に立設される取付ボス４６等への引っ掛かりを確実に避けることができ、回動操作部材３５の操作性を損なうことを防止できる。
更に、アウターケーブル６５Ａは、一端側が回動操作部材３５に固着され、他端側が検出装置４３に回転可能に連結されているため、回動操作部材３５の回動による駆動ワイヤ部材６５の捩れを防止でき、この回動操作部材３５の操作性の更なる向上を図ることができる。また、アウターケーブル６５の硬度を大きくすることが可能となり、駆動ワイヤ部材６５の耐久性の向上を図ることができる。
【００２７】
尚、本発明は、上記実施例に限定されるものではなく、本発明の要旨を逸脱しない範囲内で種々の改良、変形が可能であることは勿論である。例えば、以下のようにしてもよい。
【実施例２】
【００２８】
（Ａ）上記実施例では、検出装置４３の筒部材７０は、筐体６９の壁面部に回転可能に突設したが、該筒部材７０を筐体６９の壁面部に固着すると共に、柔軟性を有する樹脂製チューブでアウターケーブル６５Ａを形成してもよい。これにより、検出装置４３の構成を簡易化することができ、製造コストの削減化を図ることができる。
【実施例３】
【００２９】
（Ｂ）上記実施例では、スイッチレバー７１Ａが押下された場合に、ＯＮ信号を送出するスイッチ７１を検出装置４３に設けたが、このスイッチ７１に替えてインナーケーブル６５Ｂの他端側の変位や通過を検出することができる他のセンサー（例えば、光電スイッチなどである。）を設ける構成にしてよい。
【図面の簡単な説明】
【００３０】
【図１】本実施例に係るパチンコ機全体を示した正面図である。
【図２】本実施例に係るパチンコ機全体を示した背面図である。
【図３】本実施例に係るパチンコ機の操作ハンドルを示した斜視図である。
【図４】本実施例に係るパチンコ機の操作ハンドルを示した正面図である。
【図５】本実施例に係るパチンコ機の操作ハンドルを示した側面図である。
【図６】図４のＡ−Ａ矢視断面図である。
【図７】本実施例に係るパチンコ機の操作ハンドルの検出装置を示す要部拡大断面図である。
【図８】図６の操作部を押下した状態を示す図である。
【符号の説明】
【００３１】
１                  パチンコ機
１０                操作ハンドル
１２                発射装置
２９                発射モータ
３０                駆動回路部
３３                ハンドル本体部
３４                把持部
３５                回動操作部材
３９                回動軸心
４０                回転支持部
４１、６４、６７    貫通孔
４３                検出装置
５５                回転軸部
６２                操作部
６５                駆動ワイヤ部材
６５Ａ              アウターケーブル
６５Ｂ              インナーケーブル
７１                スイッチ
【図１】
2006122061.tif 000003
【図２】
2006122061.tif 000004
【図３】
2006122061.tif 000005
【図４】
2006122061.tif 000006
【図５】
2006122061.tif 000007
【図６】
2006122061.tif 000008
【図７】
2006122061.tif 000009
【図８】
2006122061.tif 000010